【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
映像を入力する映像入力手段と、
前記入力された映像に適用する特殊効果を選択する選択手段と、
前記選択された特殊効果を前記入力された映像に適用する映像適用手段と、
前記選択手段による選択中に前記選択された特殊効果の動作を表す画像を表示する特殊効果画像表示手段と、
前記映像適用手段によって特殊効果が適用された映像を表示する表示手段と
を備えることを特徴とする映像処理装置。
【請求項２】
前記特殊効果画像表示手段は、前記入力された映像とともに前記特殊効果の動作を表す画像を表示することを特徴とする請求項１記載の映像処理装置。
【請求項３】
前記特殊効果の動作を表す画像のアニメーション画像データを格納する格納手段を備え、
前記特殊効果画像表示手段は、前記特殊効果選択手段の選択に応じて前記アニメーション画像データの表示を切り換えることを特徴とする請求項１記載の映像処理装置。
【請求項４】
更に、前記アニメーション画像データに関する文字列データを格納する格納手段を備え、
前記特殊効果画像表示手段は、前記特殊効果の種類に応じて前記アニメーション画像データを選択肢の文字列とともに表示することを特徴とする請求項３記載の映像処理装置。
【請求項５】
前記アニメーション画像データは、単一又は複数のビットマップフレームデータから成り、前記特殊効果の動作を表す画像は、前記フレームデータ及び前記フレームデータを加工したデータのいずれか一方を前記映像内の特定の領域へ一定時間おきに順次表示することにより作成されることを特徴とする請求項３記載の映像処理装置。
【請求項６】
前記選択された特殊効果の種類を記憶する記憶手段を備え、
前記映像適用手段は、前記入力された映像に前記記憶された特殊効果を適用し、前記表示手段は前記映像適用手段によって前記特殊効果が適用された映像を表示することを特徴とする請求項１記載の映像処理装置。
【請求項７】
前記映像適用手段によって特殊効果が適用された映像を記録する記録手段と、
前記映像適用手段が前記選択手段によって前記選択された特殊効果の適用を行うための実行を指示する指示手段を有することを特徴とする請求項１記載の映像処理装置。
【請求項８】
前記映像入力手段は、撮像手段によって被写体を撮影して取得された映像を入力することを特徴とする請求項１記載の映像処理装置。
【請求項９】
更に、前記映像適用手段によって特殊効果が適用された映像を記録媒体に記録する記録手段を備え、
前記映像入力手段は、前記記録媒体から読み出した映像を入力することを特徴とする請求項１記載の映像処理装置。
【請求項１０】
映像を入力する映像入力工程と、
前記入力された映像に適用する特殊効果を選択する選択工程と、
前記選択された特殊効果を前記入力された映像に適用する映像適用工程と、
前記選択工程中に前記選択された特殊効果の動作を表す画像を表示する特殊効果画像表示工程と、
前記映像適用工程において特殊効果が適用された映像を表示する表示工程と
を有することを特徴とする映像処理方法。
【請求項１１】
前記特殊効果画像表示工程では、前記特殊効果の動作を表す画像は前記入力された映像とともに表示することを特徴とする請求項１０記載の映像処理方法。
【請求項１２】
前記特殊効果の動作を表す画像のアニメーション画像データが格納手段に格納されてあり、前記特殊効果選択工程における選択に応じて前記アニメーション画像データの表示を切り換える切り換え工程を有することを特徴とする請求項１０記載の映像処理方法。
【手続補正２】
【補正対象書類名】明細書
【補正対象項目名】発明の名称
【補正方法】変更
【補正の内容】
【発明の名称】映像処理装置及び方法
【手続補正３】
【補正対象書類名】明細書
【補正対象項目名】０００１
【補正方法】変更
【補正の内容】
【０００１】
本発明は、映像処理装置及び方法に関し、特に撮影した映像に対して特殊効果を適用して記録することができる映像処理装置及び方法に関する。
【手続補正４】
【補正対象書類名】明細書
【補正対象項目名】０００４
【補正方法】変更
【補正の内容】
【０００４】
本発明の目的は、利用者に所望の特殊効果を容易に選択させることができる映像処理装置及び方法を提供することにある。
【手続補正５】
【補正対象書類名】明細書
【補正対象項目名】０００５
【補正方法】変更
【補正の内容】
【０００５】
上記目的を達成するために、請求項１記載の映像処理装置は、映像を入力する映像入力手段と、前記入力された映像に適用する特殊効果を選択する選択手段と、前記選択された特殊効果を前記入力された映像に適用する映像適用手段と、前記選択手段による選択中に前記選択された特殊効果の動作を表す画像を表示する特殊効果画像表示手段と、前記映像適用手段によって特殊効果が適用された映像を表示する表示手段とを備えることを特徴とする。
請求項２記載の映像処理装置は、請求項１記載の映像処理装置において、前記特殊効果画像表示手段は、前記入力された映像とともに前記特殊効果の動作を表す画像を表示することを特徴とする。
請求項３記載の映像処理装置は、請求項１記載の映像処理装置において、前記特殊効果の動作を表す画像のアニメーション画像データを格納する格納手段を備え、前記特殊効果画像表示手段は、前記特殊効果選択手段の選択に応じて前記アニメーション画像データの表示を切り換えることを特徴とする。
請求項４記載の映像処理装置は、請求項３記載の映像処理装置において、更に、前記アニメーション画像データに関する文字列データを格納する格納手段を備え、前記特殊効果画像表示手段は、前記特殊効果の種類に応じて前記アニメーション画像データを選択肢の文字列とともに表示することを特徴とする。
請求項５記載の映像処理装置は、請求項３記載の映像処理装置において、前記アニメーション画像データは、単一又は複数のビットマップフレームデータから成り、前記特殊効果の動作を表す画像は、前記フレームデータ及び前記フレームデータを加工したデータのいずれか一方を前記映像内の特定の領域へ一定時間おきに順次表示することにより作成されることを特徴とする。
請求項６記載の映像処理装置は、請求項１記載の映像処理装置において、前記選択された特殊効果の種類を記憶する記憶手段を備え、前記映像適用手段は、前記入力された映像に前記記憶された特殊効果を適用し、前記表示手段は前記映像適用手段によって前記特殊効果が適用された映像を表示することを特徴とする。
請求項７記載の映像処理装置は、請求項１記載の映像処理装置において、前記映像適用手段によって特殊効果が適用された映像を記録する記録手段と、前記映像適用手段が前記選択手段によって前記選択された特殊効果の適用を行うための実行を指示する指示手段を有することを特徴とする。
請求項８記載の映像処理装置は、請求項１記載の映像処理装置において、前記映像入力手段は、撮像手段によって被写体を撮影して取得された映像を入力することを特徴とする。
請求項９記載の映像処理装置は、請求項１記載の映像処理装置において、更に、前記映像適用手段によって特殊効果が適用された映像を記録媒体に記録する記録手段を備え、前記映像入力手段は、前記記録媒体から読み出した映像を入力することを特徴とする。
上記目的を達成するために、請求項１０記載の映像処理方法は、映像を入力する映像入力工程と、前記入力された映像に適用する特殊効果を選択する選択工程と、前記選択された特殊効果を前記入力された映像に適用する映像適用工程と、前記選択工程中に前記選択された特殊効果の動作を表す画像を表示する特殊効果画像表示工程と、前記映像適用工程において特殊効果が適用された映像を表示する表示工程とを有することを特徴とする。
請求項１１記載の映像処理方法は、請求項１０記載の映像処理方法において、前記特殊効果画像表示工程では、前記特殊効果の動作を表す画像は前記入力された映像とともに表示することを特徴とする。
請求項１２記載の映像処理方法は、請求項１０記載の映像処理方法において、前記特殊効果の動作を表す画像のアニメーション画像データが格納手段に格納されてあり、前記特殊効果選択工程における選択に応じて前記アニメーション画像データの表示を切り換える切り換え工程を有することを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
本発明によれば、特殊効果の選択中に選択された特殊効果の動作を表す表示をすることができるので、利用者に所望の特殊効果を容易に選択させることができる。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００２０
【補正方法】変更
【補正の内容】
【００２０】
図１において、カメラ部１０１（映像入力手段）で撮影された映像信号はデジタルエフェクト回路１０２（映像適用手段）によって特殊効果を適用され（又はデジタルエフェクト回路１０２を素通りして）、画面合成回路１１４及びＳＤ圧縮回路１１６へ渡される。その映像はＳＤ圧縮回路１１６によって圧縮処理が行われ、さらに記録アンプ１１７を介してカセットテープ１１８（記録媒体）へ記録される。一方、ＣＰＵ１０３はデジタルエフェクトキー１０４、選択キー１０５、実行キー１０６及び撮影キー１１３からの入力に基づいて、ディジタルビデオカメラ全体の動作を管理する。デジタルエフェクト回路１０２は、デジタルエフェクトの設定値を保存している記憶装置１１２から設定値を読み出したＣＰＵ１０３から指示を受けることにより、動作を決定する。また、ＣＰＵ１０３は、フラッシュＲＯＭ１０７に保存されているアニメーションデータ１０８及び文字列データ１０９を読み出すと共に加工したものをビットマップメモリ１１０に出力する。画面合成回路１１４は、ビットマップ表示回路１１１がビットマップメモリ１１０からデータを読み出して得られた表示信号と、画面合成回路１１４でデジタルエフェクト回路１０２からの映像信号とを合成した信号をモニタ１１５に出力する。
【手続補正１８】
【補正対象書類名】明細書
【補正対象項目名】００２４
【補正方法】変更
【補正の内容】
【００２４】
図２において、デジタルエフェクトキー１０４が押されると（ステップＳ２０１でＹＥＳ）、記憶装置１１２に保存されたデジタルエフェクトの設定値に対応するアニメーションデータ１０８及び文字列データ１０９がＣＰＵ１０３に読み出され、第１のプレビューとして後述する図４のようにモニタ１１５に出力される（ステップＳ２０２）（特殊効果画像表示手段）。このときはまだカメラ部１０１からの映像に対してデジタルエフェクト１０２は機能していない。図４は、画面下部左側にエフェクトの選択画面４０１を、画面下部中央４０２に現在選択されているエフェクト４０３、例えば「ボール」を、画面下部右側に映像に対して「ボール」を適用したときに得られる効果を表したアニメーション４０３を夫々表示している。
【手続補正１９】
【補正対象書類名】明細書
【補正対象項目名】００２５
【補正方法】変更
【補正の内容】
【００２５】
表示されるアニメーションデータ（アニメーション画像データ）は、カメラの映像に対してそのエフェクトを適用した出力映像を模したものであり、図７に示すように、一定時間ごとにフレームが順次更新されることでアニメーション表示される（ステップＳ２０４）。図７は、左上のフレームから右上のフレームへ、さらに左下のフレームから右下のフレームへ、順次アニメーションデータが読み出され表示されることを示している。なお、アニメーションデータは、単一又は複数のビットマップフレームデータから成る。
【手続補正２０】
【補正対象書類名】明細書
【補正対象項目名】００２６
【補正方法】変更
【補正の内容】
【００２６】
次いで、選択キー１０５が押されるたびに（ステップＳ２０５でＹＥＳ）、新たに文字列データ１０９及びアニメーションデータ１０８が読み出され、プレビューされるエフェクトの種類が切り替わる（ステップＳ２０３，Ｓ２０４）。このときプレビューされるエフェクトの種類とアニメーション画像は、例えば図８のようなものである。なお、アニメーション画像は、フレームデータ及びフレームデータを加工したデータのいずれか一方を映像内の特定の領域へ一定時間おきに順次表示することにより作成される。